(57)【要約】電子機器用のウェザカバーは、マスト、タワー、若しくは、単一のポールに吊り装着されるように設計されている。このウェザカバー（１０）は、電子機器の整備等のために開成され得るハウジング（１）を有している。このハウジング（１）は、開成され得る少なくとも１つの側部（２）を有している。この側部（２）は、ハウジング中に装着された電子機器（３）間の少なくとも１つのアクセスドア（２ａ）を有している。前記ドアは、ハウジング（１）を開閉するように、ハウジング（１）に（枢支）装着されている。ウェザカバーは、このウェザカバー（１０）を吊るすための装着手段をさらに有している。
2008518437.tif 000002
【特許請求の範囲】
【請求項１】
マスト、タワー、ビルディング、若しくは、単一のポールに吊り装着されるように設計されている、電子機器用のウェザカバー（１０）であって、このウェザカバー（１０）は、整備等のために開成され得る保護用のハウジング（１）を具備し、このハウジング（１）は、開成され得る少なくとも１つの側部（２）を有し、この側部（２）は、前記ハウジング内に装着された前記電子機器（３）間へのアクセスのための少なくとも１つのドア（２ａ）を有し、前記ドアは、前記ハウジング（１）を開閉するようにこのハウジング（１）に枢支装着されており、また、このウェザカバー（１０）を吊るすための装着手段をさらに具備しているウェザカバー（１０）。
【請求項２】
前記ハウジング（１）を、互いに一緒になって開閉するように、前記ハウジング（１）に枢支装着された第１のドア（２ａ）と第２のドア（２ｂ）とを少なくとも具備しているウェザカバー（１０）において、
前記両ドア（２ａ，２ｂ）は、ほぼ同一であり、垂直位置から、ハウジング（１）の使用の通常の位置に対してほぼ水平位置へと、それぞれ上方並びに下方に回動するように設計されていることと、
可動のシールド手段（４，５）が、前記両ドア（２ａ，２ｂ）が開成しているとき、この開成によりもたらされた両ドア（２ａ，２ｂ）の自由エッジ相互を接続するように設計され、前記電子機器の整備の間、例えば、整備員のためのスペースを与えて、前記ハウジング（１）と一緒になって前記電子機器（３）と整備員とのためのカバーを与えるように設計されていることとを特徴とする請求項１のウェザカバー。
【請求項３】
開成位置での使用において、前記第１のドア（２ａ）は、屋根をなすように設計され、また、前記第２のドア（２ｂ）は、床をなすように設計されていることを特徴とする請求項２のウェザカバー。
【請求項４】
前記可動のシールド手段（４，５）は、折り畳み可能であることを特徴とする請求項３のウェザカバー。
【請求項５】
前記シールド手段（４，５）は、少なくとも２つの部分（４ａ，４ｂ，５ａ，５ｂ）を有し、これら部分は、延出して広げられた位置で、使用者のための取巻き用のウェザカバーを与えるように設計されていることを特徴とする請求項４のウェザカバー。
【請求項６】
前記第２のドア（２ｂ）には、このドアを開成位置にロックするためのロック手段（６）が設けられ、このロック手段（６）は、開成位置で、２人の人間と電子機器（３）との重量を少なくとも支持するようになっていることを特徴とする請求項２ないし５のいずれか１のウェザカバー。
【請求項７】
前記ロック手段（６）は、エッジ（７）と前記第２のドア（２ｂ）と前記ハウジング（１）の内側側部（８）との間に設けられた少なくとも１つの折り畳み可能なバー（６）を有し、前記折り畳み可能なバー（６）は、延出位置で、前記第２のドア（２ｂ）をほぼ水平位置に保持することを特徴とする請求項６のウェザカバー。
【請求項８】
前記第２のドア（２ｂ）には、ガス・アテニュエーターのような備え付けの緩衝手段が設けられ、この緩衝手段は、前記第２のドア（２ｂ）を開成するときこのドアの速度を遅くし、また、第２のドア（２ｂ）の閉成を維持するように緩衝するようになっていることを特徴とする請求項２ないし７のいずれか1のウェザカバー。
【請求項９】
前記第２のドア（２ｂ）は、好ましくはロック手段を制御することにより、スプリントのような、重い物品のための傾斜部を与えるように、地面に向けて折り曲げられ得るように設計されていることを特徴とする請求項２ないし７のいずれか１のウェザカバー。
【請求項１０】
このウェザカバー（１０）には、温度制御デバイス（２０）が設けられ、この温度制御デバイスは、温度を制御するための、好ましくは、ウェザカバー（１０）内の前記電子機器（３）を冷却するための手段（２３）を有し、前記温度制御デバイス（２０）は、前記ハウジング（１）の壁、好ましくは屋根として与えられ、また、前記ハウジング（１）に容易に着脱され得るように、リフティングループのようなリフティング手段（２２）を有していることを特徴とする前記全ての請求項のいずれか１のウェザカバー。
【請求項１１】
前記温度制御デバイス（２０）は、冷媒としての周囲空気、アクティブ制御冷却、若しくは、これらの組み合わせにより動作されるように設計されていることを特徴とする請求項１０のウェザカバー。
【請求項１２】
アンテナキャリアデバイス、マスト、タワー、若しくは、単一のポールに装着されるための、前記全ての請求項のいずれか１の少なくとも１つのウェザカバー（１０）の使用。
【請求項１３】
請求項１２の少なくとも２つ以上のウェザカバー（１０）の使用。
【請求項１４】
前記アンテナキャリア（３０）には、請求項１ないし１１のいずれか１つのウェザカバー（１０）が、吊り装着されている、電子機器用のアンテナキャリア（３０）。
【発明の詳細な説明】
【技術分野】
【０００１】
本発明は、マスト、タワー、若しくは、単一のポールに吊下げられるためのウェザカバーに関する。本発明は、また、このようなウェザカバーのためのアンテナキャリアデバイスに関する。
【背景技術】
【０００２】
通信機器のような電子機器は、周囲の気候、即ち、雨、雪、埃並びに他の粒子による気候の影響、並びに、自然界に存在する昆虫から保護されなければならない。また、機器を遮蔽する必要がしばしばある。このため、機器は、しばしば、適切なウェザカバー、若しくは、ハウス、いわゆる技術ハウス(technology houses)、シェルター、密閉体、若しくは他のタイプのウェザカバーに装着されている。
【０００３】
例えば通信システム用の基地局が設置されるとき、このような設置は、できるだけ迅速かつ容易に果たされ得ることが望ましい。迅速な設置により、例えば、設置のためのコストは減じられ、基地局は早期に作動するように準備される。電子機器は、通常、汚物や水に過敏であるので、サイトでの設置作業が少ないことは、非常に重要なことである。従って、サイトでは、設置作業が、できるだけ減じられなければならない。
【０００４】
今日、ラジオ基地の通信機、整流器、アラーム、並びに、気候適合デバイスを有する基地局用の電子機器は、異なるサイズの異なるウェザカバーに設置されている。これらウェザカバーは、スチールコンテナ、異なるデザインの技術ハウス、並びに、重コンクリートの構造体の形態の異なるデザインで与えられている。これら全ては、別に設けられた土台を有する必要があるという事実を受けている。ウェザカバーは、マスト、タワー、若しくは、単一のポールのような外部のアンテナキャリアに装着されたアンテナに接続されたケーブル、いわゆるフェダー並びにジャンパーにより、アンテナに接続されている。基地局の電子機器は、ウェザカバーが、通信機器のための場所、即ち「サイト」に配置されたあと、動作する準備の十分できたウェザカバーに基地局の電子機器を設けるという異なる問題に応じて、設置される。問題とは、水、蒸気、並びに、汚物が、敏感な電子機器に進入してしまうことを意味している。また、電子機器は、ひどい道、道のないところ、若しくは、ひどい林道への再配置並びに搬送のため、若しくは、屋根若しくは他の適用物に持ち上げられるとき、ダメージを受けるかもしれない。
【０００５】
前記電子機器は、しばしば、屋外に達するのが困難なサイトに設置されなければならないので、このようなかさばるウェザカバーの設置は、また、かなりの手間を意味している。例えば、ウェザカバーの備え付け、接続、並びに、設置には、多くの時間がかかる。これは、ウェザカバーをじかに有する完全な電子機器をサイトに送る代わりに、機器を動作準備させる設置時間が長いことに関連している。これは、例えば、モバイル通信システム、例えば第２若しくは第３世代の新たな導入に対するコストが、現在の状況に関して低くなることを意味している。
【０００６】
常時とは言わないまでも、しばしば、今日のウェザカバーの構造並びにデザインは、効果的な形態で環境に適応していない。冷却デバイスは、しばしば、ウェザカバーの外部でウェザカバーの壁に装着され、従って、更なる大きな外部ユニットのために、ウェザカバーの外観を悪くしている。
【０００７】
現在の技術は、多くの欠点並びに問題を有しており、従って、本発明の目的は、現在の技術の問題を解決、若しくは、少なくとも改善することである。
【発明の開示】
【発明が解決しようとする課題】
【０００８】
本発明の目的は、かさばることのないコンパクトで、既存のウェザカバーよりも軽く、従って、主に、マスト、タワー、単一のポール、ビルディング、並びに、屋根に吊り装着される、電子機器用のウェザカバーを提供することである。
【０００９】
本発明の他の目的は、電子技術が完備されたウェザカバーを提供することである。
【００１０】
電子技術が完備されたウェザカバーは、自身の土台を必要とすることなく、既存のマスト、タワー、若しくは、単一のポールを使用して、これにウェザカバーを吊るすことにより、すでに構築された場所、いわゆる「サイト」を拡大するのに非常に適している。このような拡大は、通常のウェザカバーの使用では複雑である。これは、通常のウェザカバーが、マスト、タワー、若しくは、単一のポールに吊るされるのに適合しておらず、自身の別の土台を有する必要があるためである。
【００１１】
本発明の他の目的は、雨、雪、砂嵐等のような悪天候の状況時でさえ、外での整備に適した電子機器用のウェザカバーを提供することである。
【００１２】
用語「ウェザカバー」は、電子機器を周囲環境から保護するのに適した形態で設計された全てのタイプの構造体に関する。
【課題を解決するための手段】
【００１３】
本発明の第１の態様によれば、マスト、タワー、若しくは、単一のポールに吊り装着されるように設計された、電子機器用のウェザカバーが与えられる。このウェザカバーは、整備等のために開成され得るハウジングを有している。このハウジングは、開成され得る少なくとも１つの側部を有している。前記側部は、ハウジング内に装着された電子機器間の少なくとも１つのアクセスドアを有し、前記ドアは、ハウジングを開閉するようにハウジングに枢支装着されている。また、このウェザカバーは、ウェザカバーを吊るすための装着手段をさらに有している。
【００１４】
このように、電子機器が、ラジオ基地局の形態の電子機器、若しくはラジオ基地局により、ウェザカバー内にちょうど適合するように、できるだけ小さなウェザカバーが、与えられている。電子機器用のラックは、スペースが、使用者、例えば修理若しくは設置のための人員のために、ウェザカバー内への電子機器に対する、また、機器間へのアクセスを与えるように、ドアの両側に配設されている。ウェザカバーが、できるだけ小さく、マスト、タワー、ビルディング、屋根、若しくは、単一のポールにウェザカバーを直接装着する（とにかく装着されるように設けられている）のに適する程度に軽量であることは、非常に重要である。
【００１５】
これは、主な電気ボックス等のような、吊り装着されるための、以前から知られた「比較的小さな」装置とは大きく異なり、天候から保護されるボックス内に使用者を入るようにはなっていない。
【００１６】
これによって、マスト、タワー、若しくは、単一のポールの既存のインフラが使用され、これは、例えばコストのために、非常に重要である。
【００１７】
軽量であることにより、工場で、ウェザカバーに適切な電子機器を完備させることは可能である。この後、このウェザカバーは、例えばトラック、若しくは、他の輸送手段により運ばれる。この結果、このような設置に適していない劣悪な環境への敏感な電子機器の設置に係る問題は、回避される。従って、設置の質は、一般に、サイト、屋根、若しくは、他の設置場所への通常の設置と比較して、大幅に向上されることができる。このため、使用者は、従来からの現在の技術と同様のウェザカバー内で、天候から保護された状態で作業することができる。しかし、現在の技術は、かなりかさばり、構造体は重く、かさばるスチールコンテナのように、つり装着されることは不可能である。
【００１８】
本発明に係るウェザカバーは、アンテナキャリア、マスト、タワー、若しくは、単一のポールのまわりに設けられ、アンテナキャリアの土台が、ウェザカバー用の土台並びに支持体を与え、従って、この場合、ウェザカバーの土台を必要としないように、吊るされることができる。このウェザカバーは、アンテナキャリアに、別のユニットとして適用されても良いし、複数のユニットで適用されも良い。このため、フェダーの長さは短くてよく、フェダーの曲がりは、全体的になくされることができ、この結果、通信信号は改善され、アンテナキャリアから落ちる氷からの保護は容易である。
【００１９】
本発明の第２の態様によれば、ウェザカバーは、第１のドアと第２のドアとを少なくとも有している。これらドアは、ハウジングを、一緒になって開閉するようにハウジングに枢支装着されている。両ドアは、ほぼ同一であり、垂直位置から、ハウジングの使用の通常の位置に対してほぼ水平位置へと、それぞれ上方並びに下方に回動するように設計されていることを特徴としている。また、可動のシールド手段が、両ドアが開成しているとき、この開成によりもたらされた両ドアの自由エッジ相互を接続するように設計され、電子機器の整備の間、例えば、整備員のためのスペースを与えて、ハウジングと一緒になって電子機器と整備員とのためのウェザカバーを与えるように設計されていることを特徴としている。
【００２０】
本発明に係わるウェザカバーの第２の実施形態は、本発明のウェザカバーの前述の実施形態と同じ利点を有している。しかし、本発明の第２の実施形態において、ウェザカバーは、アクセスドアが、側壁、屋根、並びに、床をなす「ロック」の形態で与えられているので、さらに改良されている。
【００２１】
好ましくは、開成位置の使用時において、第１のドアは、屋根をなすように設計され、また、第２のドアは、床をなすように設計されている。
【００２２】
好ましくは、前記可動のシールド手段は、折り畳み可能である。
【００２３】
好ましくは、前記シールド手段は、２つの部分を有し、これら２つの部分は、延出して広げられた位置で、使用者のための保護用のウェザカバーを与えるように設計されている。
【００２４】
好ましくは、第２のドアには、開成位置にドアをロックするためのロック手段が設けられている。このロック手段は、開成位置で、２人の人間と電子機器との重量を少なくとも支持するようになっている。
【００２５】
好ましくは、前記ロック手段は、エッジと第２のドアとハウジングの内側側部との間に設けられた少なくとも１つの折り畳み可能なバーを有している。前記折り畳み可能なバーは、延出位置で、第２のドアをほぼ水平位置に保持する。
【００２６】
好ましくは、前記第２のドアには、ガス・アテニュエーターのような備え付けの緩衝手段が設けられている。この緩衝手段は、第２のドアを開成するときこのドアの速度を遅くし、また、第２のドアの閉成を維持するように緩衝するようになっている。
【００２７】
好ましくは、前記第２のドアは、好ましくはロック手段を制御することにより、このために設けられたスプリントのような、重い物品のための傾斜部を与えるように、地面に向けて折り曲げられ得るように設計されている。
【００２８】
好ましくは、このウェザカバーには、温度制御デバイスが設けられている。この温度制御デバイスは、温度を制御するための、好ましくはウェザカバー内の電子機器を冷却するための手段を有している。この温度制御デバイスは、ハウジングの壁、好ましくは屋根として設けられ、ハウジングに容易に着脱され得るように、リフティングロープのようなリフティング手段を有している。
【００２９】
好ましくは、前記温度制御デバイスは、冷媒としての周囲空気、アクティブ制御冷却、若しくは、これらの組み合わせで動作されるように設計されている。
【００３０】
本発明の他の態様は、アンテナキャリア、マスト、タワー、若しくは、単一のポールに吊るされる、全ての請求項のいずれか１に係わる少なくとも１つのウェザカバーの使用、特に、２つ以上のウェザカバーの使用に向けられている。
【００３１】
本発明の更なる他の態様は、電子機器用のアンテナキャリアに関する。このアンテナキャリアに、上述の特徴を有するウェザカバーが、吊り装着される。
【００３２】
本発明は、ウェザカバーと、多くの技術分野において不可欠な利点を与えるウェザカバーの使用とを与え、従って、論理並びに経済的な改良を与えている。
【００３３】
本発明は、添付図面を参照して非限定的な実施形態により説明される。
【発明を実施するための最良の形態】
【００３４】
図１において、本発明の一実施形態が、電子機器３並びにこの電子機器の使用者のためのウェザカバー(weather cover)１０の形態で、マストに吊り装着されている。このウェザカバー１０は、電子機器３（破線により単に概略的に示されている）を囲んでいる保護用のハウジング１を有し、このハウジングは、開成され得る側部２を有している。
【００３５】
前記開成され得る側部は、通常の方向（矢印により示されている）に対して外方に回動され得るアクセスドア２ａを有している。ウェザカバー１０は、使用時に、このアクセスドアを備えている。「アクセスドア」は、１つ以上のドア部材を有する全てのタイプのドア若しくは類似のドアに関連しており、本発明は、図１に示されているようなアクセスドアに限定されることはない。
【００３６】
前記アクセスドア２ａの内側には、前記電子機器３が、（図に見られるように）ドア２ａの両側にそれぞれ配設されることができ、ドアの右側と左側との一方にラジオ基地局を有し、ドアの右側と左側との他方に、整流器、通信機、並びに、電源のための１９インチラックを有している。
【００３７】
前記ラジオ基地局と１９インチラックとの間には、スペース、正確には、整備員並びに整備員の必需品のためのスペースが設けられている。整備員は、雨、雪、風、並びに、砂嵐から保護された状態で、敏感な機器を操作することができる。
【００３８】
横方向に回動することができ、通常の方法で装着されたドアのようなドアを有する通常の「コンパクト」なウェザカバーは、周囲環境から使用者を保護しない。代わりに、通常のウェザカバー近くに取巻きテント(surrounding tents)等のような更なる保護機材を設ける必要があり、この保護機材は、もちろん、多くの欠点をもたらしている。このような保護機材がなければ、ウェザカバーから水が浸入する危険があり、このことは、環境が快適でないと使用者が感じる事実に加えて、機器にダメージを与えかねない。
【００３９】
図１は、また、温度制御デバイス２０とマスト３０とを示しており、このマストに、ウェザカバー１０が吊られている。
【００４０】
マスト、タワー、若しくは、単一のポールに吊り装着される、低重量、小さなボックス、工場で装着される機器の組み合わせが、本発明の効果を与えている。
【００４１】
さらに、電子技術を完備したウェザカバーは、このウェザカバーを吊り装着して、別の土台を必要とすることがないように、既存のマスト、タワー、若しくは、単一のポールを使用することにより、すでに構築された通信ステーション、いわゆるサイト(site)を拡大するのに非常に良く適応されている。このような拡大は、通常のウェザカバーの使用では複雑である。これは、通常のウェザカバーが、マスト、タワー、屋根、若しくは、単一のポールに吊り装着されるのに適さず、別に設置されなければならないためである。
【００４２】
前記温度制御デバイス２０は、前記ハウジング１の壁、好ましくは屋根を構成し得るように配設されている。また、この温度制御デバイスには、この温度制御デバイスが、例えば通常の方法で動作するバヨネットロック等によりハウジング１に容易に着脱され得るように、リフティング用の掛鎖のようなリフティング手段２２が設けられることが好ましい。
【００４３】
前記温度制御デバイス２０は、屋根の一部である必要はなく、好ましくはないが、側壁として装着されても良いし、通常の冷却ボックスが代わりに装着されている場合には完全に省略されても良い。これは、好ましくはないが可能である。
【００４４】
前記温度制御デバイス２０は、単なる冷媒としての空気、若しくは、アクティブ制御の冷却により動作されるように設けられている。これは、当業者にとって明らかであるので詳細に説明されない。このように、例えば温度制御デバイスの整備は、整備が実施されるたびに、屋根部分を交換することにより容易に果たされることができる。温度制御デバイスが、電子機器用の現在のこのような冷却デバイスと比較して、需要に応じて能動若しくは受動的に動作され得ることは、重要なことである。能動的な冷却は、例えば暑い時間帯に駆動されても良いし、比較的涼しい時間帯、例えば夜間に駆動されても良い。
【００４５】
代わって、ウェザカバーは、できるだけ均一な温度を得るように、空気用の制御ファンとフィルターと加熱デバイス（図示されず）とを有することができる。この場合、温度制御デバイスは、冷媒としての単なる空気により動作される。
【００４６】
好ましくは、ウェザカバーは、他方の装備の隣のスペースか、備品間、若しくは、ウェザカバーの屋根のような１つの壁に配設されることができるフィルターを少なくとも有している。
【００４７】
また、図１には、電子機器３が、電子機器３の上方でハウジングの上部に直接配設された接続手段により、どのようにアンテナキャリア（図示されず）に接続され得るのが好ましいかが示されている。
【００４８】
このような接続により、サイトでの面倒な装着が回避される。好ましくは、「ジャンパー」といわれる圧着式の(crimped)アンテナケーブルが、工場内に直接装着され、電子機器に接続されている。圧着式アンテナケーブル用のホールが、また、工場に形成されている。サイトでは、このような圧着式アンテナケーブルは、比較的粗いアンテナケーブル（フェダー(feders)）が１つのアンテナに装着された複数のアンテナに接続された状態で、アンテナキャリアに接続されている。
【００４９】
図２は、側方から見た、マスト３０（アンテナキャリア）の装着状態を示している。
【００５０】
コンパクトなウェザカバーは、前記アンテナキャリア３０に直接装着され、アンテナキャリアの一部として見なされるべきである。このような設計は、ウェザカバーが、固有の方法でアンテナキャリア３０に装着され、従ってアンテナキャリアの一部であるような必要性に直接適合されている。これは、アンテナリンクが比較的短く、従って、通信の特性が良く、かつコストが低いために、効果的である。
【００５１】
図３は、図１並びに図２に示されているのと同じ実施形態を上方から見た平面図で示し、マスト３０に一緒に装着された３つのウェザカバー１０を示している。この図には、３つのウェザカバー１０が吊り装着されたアンテナキャリア３０を有する本発明の一実施形態が、示されている。
【００５２】
図４は、開成されたアクセスドア２ａを有する、本発明の一実施形態に係るウェザカバー１０を示している。このウェザカバーは、外部のアンテナキャリア３０に接続並びに吊り装着されている。このアンテナキャリア３０は、例えば、マスト、タワー、単一のポールであり得る。
【００５３】
図４には、また、アクセスドア２ａのための好ましい装着手段４０が示されている。この装着手段４０は、ドア２ａと側部２との両方に設けられたばね張力形式の円筒ロッドを有し、従って、装着手段４０は、同一平面内に延びている。しかし、この装着手段は、従来のヒンジ形式の装着手段を含まない。
【００５４】
図５は、ウェザカバーの一実施形態の背面斜視図を示している。このウェザカバーは、外部のアンテナキャリア３０に接続並びに吊り装着されている。
【００５５】
図６は、地面近くで同一のアンテナキャリア３０に吊り装着された３つのウェザカバー１０を示した実施形態である。図面には示されていないが、ウェザカバーを地面より上方に吊り装着することも可能である。また、図面には示されていないが、プラットホーム等を設けることも可能である。
【００５６】
図７ａ並びに７ｂにおいて、本発明の第２の実施形態が、電子機器３並びにこの電子機器の使用者のためのウェザカバー１０の形態で示されている。このウェザカバー１０は、電子機器３（図７ａに単に概略的に示されている）を囲んだ保護用のハウジング１を有している。このハウジングは、開成され得る一側部２を有している。図７ａは、シールド手段が目に見えないウェザカバーを斜視図で示しているが、正面図を示した図７ｂは、シールド手段を明白に示している。また、図７ｃは、図７ｂに示されているのと同じ実施形態を斜視図で示しており、従って、シールド手段が示されている。
【００５７】
前記開成され得る側部２は、保護用のウェザカバー１０が使用時（図７ａを見よ）に有する第１のアクセスドア２ａと第２のアクセスドア２ｂとを備えており、これらアクセスドアは、通常の方向Ｎ（矢印により示されている）に対して上方並びに下方にそれぞれ回動可能に装着されている。
【００５８】
前記アクセスドア２ａ，２ｂが開成されているとき、前記電子機器３は、ドア２ａ，２ｂ内に配設された可動のシールド手段４，５により保護されている（図７ｂを見よ）。これらシールド手段４，５は、ハウジング１と一緒になって配設並びに設計され、従って、電子機器並びにこれの使用者にウェザカバーを与えている。また、シールド手段４，５は、開成位置でドア２ａ，２ｂと一緒になって配設され、従って、電子機器３を保護している（図７ａ並びに７ｂを見よ）。
【００５９】
前記シールド手段４，５（図７ｂ並びに７ｃ）は、例えば、押し/引き可能並びに/若しくは折り畳み可能(foldable)であり得る入れ子式の延出可能な手段、並びに/若しくは、回動可能な手段により電子機器を保護しつつ、使用者によって引き出され得るように配設されている。
【００６０】
前記シールド手段４，５の設計と、これらシールド手段のドア２ａ，２ｂ内での適切な配置とは、適用例に応じた設計の当業者に明らかであるので、単に簡単に説明される。例えば電気的安全性に関係している異なる規則に応じて、異なる長さの安全な距離が必要とされる。これは、シールド手段４,５の長さ等が、安全な距離に適合することを意味している。所定の規則に従えば、例えば、所定の安全なスペースは、使用者のために設けえられなければならない。このため、長さ並びに材料は、現在の規則並びに他の必要性に応じて適用されることが好ましい。
【００６１】
前記ドア２ａ，２ｂの設計により、前記ハウジング１が、この中に電子機器３をちょうど収容できる程度に小さいためにコンパクトであるウェザカバー１０が設けられている。これは、ドア２ａ，２ｂが、開成されているときに、使用者（図示されず）のためのハウジング１内への電子機器３に対する良好なアクセスを与えるためである。ドアの一方２ａは、使用者のための屋根であるので、使用者は、雨や雪等から保護された状態で作業することができる。また、他方のドア２ｂは、床を果たすように設計されており、使用者は、使用者にとって良好な快適さが得られるように、作業中、この床上に立つことができる。
【００６２】
従来の吊りドアのような、横方向に回動可能なドアを有する従来の「コンパクト」なウェザカバーは、使用者を周囲環境から保護する特徴を有していない。代わりに、従来のウェザカバーは、このウェザカバーに近接して配設された取巻きテント等を備えなければならず、このことは、もちろん、多くの欠点を意味している。このような保護機材がなければ、使用者が環境を快適であると感じない事実にもかかわらず、装置を破損し得る水が浸入する危険がある。
【００６３】
前記ドア２ａ，２ｂは、上側ドア２ａ用の、例えばガス・アテニュエーター(attenuator)タイプであり得る第１のロック手段６ａにより、開成位置に保持されることが好ましい。１対のガス・アニュエーター６は、上側ドア２ａが、容易に開閉されるが、難なく開成位置に保持され得るように、本質的に知られた形態で設けられている。これは、本発明の一実施形態に係る図７ａ並びに７ｂに示されたタイプのドア用のガス・アテニュエーター若しくは同様のロック手段を設計することは、当業者にとって明らかであるので、さらに説明されない。
【００６４】
用語「ロック手段」は、ドアを開成位置に保持するのに適した全てのタイプのデバイスに関係し、ドアの「ロック」が果たされることを必ずしも意味するものではない。かくして、用語「ロック手段」は、幅広くあるべきであり、ロック機能のみに限定されない。
【００６５】
前記第２のドア２ｂには、また、第２のロック手段６ｂとして参照されたロック手段が設けられている。このロック手段は、使用者並びに使用者の機器が、好ましくは、例えば電子機器の整備若しくは交換中に、第２のドアが大幅に位置を変更することなく、第２のドア上に位置されなければならないとき、第１のドアに関連したロック手段よりも強力である。
【００６６】
好ましくは、前記第２のロック手段６ｂは、開成位置で、少なくとも２人の使用者と電子機器との重量を第２のドア２ｂ上に支持するロックバータイプである。これは、このような第２のロック手段６ｂのディメンション並びに設計が、当業者にとって明らかであるので、詳細に説明されない。ロック手段６ｂのデザインは、図８を参照して説明される。図８は、図７ａ並びに７ｂに示されているウェザカバーの側面図であり、ドア２ａ，２ｂが、ロック手段６ａ，６ｂに対してどのように配設されているか、また、これらロック手段が、例えばどのように設計されているかを示している。
【００６７】
好ましくは、前記第２のドア２ｂには、備え付けの複数のガス・アテニュエーター（詳細に図示されず）が設けられている。これらガス・アテニュエーターは、第２のドア２ｂを開成するときこのドアの速度を抑え、このドアを閉成するときこのドアをサポートするように設けられている。好ましくは、第２のドア２ｂは、また、傾斜の特徴を与えるように、ピン（若しくは同様のロック手段）を抜くことにより、地面にぶつかるように設けられることができる。この傾斜の特徴は、現在のＲＢＳ（ラジオ基地局）の重量が、しばしば何百キログラムであるので、例えば特定の基地局用に好まれる。傾斜の特徴がない場合に、例えば２人の使用者がこのような装置を内外に持ち上げ得ることは困難である。
【００６８】
前記傾斜の特徴は、当業者にとって以上の説明から理解することが容易であるので、図面に詳細に示されていない。
【００６９】
前記両ドアには、レール手段６ｃが設けられている（図７ａ並びに７ｂ）（第２のドア２ｂに設けられたレール手段のみが示されている）。このレール手段に、横方向に入れ子式に延出可能並びに/若しくは折り曲げ可能なシールド手段（図示されず）が、ドア２ａ，２ｂが開成しているときウェザカバーをさらに強化するように、ここでは側部に配設並びにロックされることができる。
【００７０】
図９は、図７ａ，７ｂ，７ｃ，並びに８に示されているのと同じウェザカバー１０の実施形態を示している。このウェザカバーは、開成され得るシールド手段（側部）４，５を有している。各シールド手段は、全てが開成位置にある状態で示された１対の側部４ａ，４ｂ並びに５ａ，５ｂをそれぞれ有している。従って、第１の側部は、隠されているが、符号４ａにより示されている。図９は、例えば、使用者（例えば整備員）が、ウェザカバー内にいて、開成され得るシールド手段４，５を有するハウジング１により完全に囲まれているときの状態を示している。
【００７１】
好ましくは、前記側部４，５は、前記レール手段６ｃ、並びに/若しくは、他の適切な取着手段並びに/若しくはレール手段に取着並びにロックされることができる。
【００７２】
好ましくは、各対の側部、例えば、１対の側部５ａ,５ｂは、容易な引き出しを使用者に与える、若しくは、ハウジング１のこれら側部５ａ，５ｂ内に配設されているスチャナ(scharnier)等の折り曲げ可能な取着手段８により互いに配設されている。
【００７３】
このマイクは、側部は、周囲環境からの影響とは無関係に、適切な機能が得られるように、適切かつ強力な取着手段により装着されている。これは、材料のディメンション並びに選択が当業者にとって明らかであるので、詳細に説明されない。
【００７４】
好ましくは、１対の側部４ａ，４ｂ，５ａ，５ｂを有するハウジング１は、シートメタル、例えば耐食性のシートメタル、若しくは、強化ガラス、プラスチック等で形成され、電子のシールドを与えているが、また、他の適切な材料、並びに、表面コーティングが、用いられることもできる。このようなシートメタル等のディメンションは、材料のディメンション並びに選択が当業者にとって明らかであるので、詳細に説明されない。
【００７５】
図９には、ドア、この場合第１のドア２ａを開閉するために設けられたハンドル９とロック１１とが、示されている。この図には、好ましい温度制御デバイス２０の設計が、また示されている。好ましくは、この温度制御デバイス２０は、環境を調節する(climatising)ための手段、代表的には、ウェザカバー内の電子機器を冷却するための手段を有している。
【００７６】
前記温度制御デバイス２０は、ハウジング１の一壁、好ましくは屋根を果たすように設けられている。この温度制御デバイスには、このデバイスが、例えば通常のロック等によりハウジング１に容易に着脱され得るように、リフティング用の掛鎖のようなリフティング手段２２が設けられている。この温度制御デバイス２０は、屋根である必要はなく、好ましくはないが、通常の冷却ボックスが代わりに装着されている場合、側壁として装着されても、存在しなくても良い。これは、好ましくはないが可能である。
【００７７】
前記温度制御デバイス２０は、冷媒としての空気、若しくは、アクティブ制御の冷却により動作されるように設けられている。これは、当業者にとって明らかであるので詳細に説明されない。このため、例えば温度制御デバイスの整備は、整備が実施されるたびに、屋根部分を交換することにより容易に果たされることができる。温度制御デバイスが、電子機器用に設けられた現在のこのような冷却デバイスと比較して、需要に応じて能動若しくは受動的に動作され得ることは、重要なことである。例えば、能動的な冷却は、暑い時間帯に駆動されて、比較的涼しい時間帯、例えば夜間に駆動されないこともできる。これは、エネルギーを明らかに減じ、従って、携帯電話のネットワーク範囲を構築する非常に多くのサイトにとって、重要である。
【００７８】
図１０は、側方からみた、本発明の一実施形態に係るウェザカバー１０を示した断面図である。この図では、前記温度制御デバイス２０が、より詳細に断面で示されている。この温度制御デバイスは、目に見える冷却手段２３を有している。この図には、前記リフティング手段の好ましい装着が、詳細に示されているが、変更が、本発明から逸脱することなく果たされることができる。図１０には、電子機器３（ここでは携帯電話用の通信機器）３が、電子機器３の上方でハウジングの上部に直接設けられた接続手段３０により、アンテナキャリア（図示されず）にどのように接続され得るのが好ましいかが示されている。
【００７９】
このような接続により、面倒な装着が、サイトで回避される。好ましくは、ジャンバーと呼ばれる圧着式アンテナケーブルが、工場に装着され、電子機器に接続される。圧着式アンテナケーブル用の透孔が、また、工場に形成される。サイトで、このような圧着式アンテナケーブルは、比較的粗いアンテナケーブル（フェダー）が１つのアンテナに装着された複数のアンテナに接続された状態で、アンテナキャリアに接続されている。
【００８０】
図１１ａは、本発明の一実施形態に係るウェザカバー１０を右下からの斜視図で示している。この図において、電子機器３が、どのようにハウジング１内に装着され得るのかが、明らかである（使用者の観点から右側のみが、装着される電子機器を有している）。図１１ｂは、本発明に係るウェザカバーと同じ実施形態を示している。接続手段３６が電子機器の上方にどのように配設されるかは、明らかである。図１１ｂにおいて、ハウジング１に設けられたスペースの一部のみを占めるように装着された電子機器３が、示されている。従って、電子機器３は、１つのＲＢＳ（ラジオ送信機）として概略的に示されている。図において、しかし、２つのＲＢＳが装着され得ることは明らかであり、これは、しばしば、本発明の一態様に係る利点である。
【００８１】
さらに、地面に直接ウェザカバーを配置するのに適した、若しくは、ウェザカバーをアンテナキャリア、マスト、若しくは、タワー（図示されず）に取着するのに適した土台/取付け手段４０が、示されている。
【００８２】
図１２ａは、本発明の一実施形態に係るウェザカバー１０が、どのように、分離した下側の取着手段４２と上側の取着手段４４とにより、アンテナキャリア３０、マスト、若しくはタワーに取着され得るかを示している。各取着手段は、取着手段４２の半部分４２’，４２”が、アンテナキャリア３０の周りに設けられ得るように、設計されている。図１２ｂには、下側の取着手段４２の拡大図と、この下側の取着手段がどのように取付け手段４０に把持されているかが示されている。２つの部品からなる下側の取着手段４２は、長い側部と短い側部とを備えたほぼＬ字形状の断面を有している。短い側部４２ａは、一緒に把持されるときに下側の取着手段４２を保持するように、先端部が上方に幾らか折り曲げられることが好ましい。また、上側の取着手段４４は、ほぼＬ字形状の断面、好ましくは下側の取着手段より小さなディメンションを有している。上側の取着手段４４は、例えば、Ｌ字形状のバーを有することができる。このバーのディメンションは、アンテナキャリア５０に装着される保護用のウェザカバー１０の側部に設けられた円形の支持部４６に適合するようになっている。取着手段４２，４４のＬ字形状のデザイン並びに機能は、このディメンションにおける当業者にとって明らかであるので詳細に説明されない。
【００８３】
本発明のより好ましい実施形態によれば、分離した前記取着手段４２，４４は、多くのウェザカバーが、アンテナキャリア、マスト、若しくはタワーに配設され得るように、少なくとも２つのＬ字形状の吊り部分を有している。
【００８４】
本発明の一実施形態に係る取着手段を使用することにより、本発明に係るウェザカバーは、アンテナキャリアに吊るされることにより、すでに構築されたサイトを拡大するのに非常に良く適応されている。
【００８５】
図１３は、図１２ａに係るウェザカバーの背面斜視図を示しており、アンテナキャリア３０に関係した上側の取着手段４２と下側の取着手段４４とが、設けられることができる。
【００８６】
図１４は、図１２ａに係るウェザカバーを正面斜視図で示しており、また、図１５は、マスト３０に装着された３つのウェザカバー１０を示している。
【００８７】
携帯電話通信用の基地局のような、電気通信用の電子機器のみが、記載の実施形態に関連して説明されているが、本発明は、敏感な電子機器等が、広帯域での設置等のように、保護されなければならない他の分野の適用例に達することができる。かくして、電気通信を参照した例は、本発明をこの特定の分野のみに限定するように意図されたものではなく、本発明を単に説明しているだけである。
【図面の簡単な説明】
【００８８】
【図１】正面から見た、本発明の第１の実施形態に係るウェザカバーを示している。
【図２】側方から見た、図１に示されているのと同じ実施形態を示している。
【図３】上方から見た、図１並びに２に示されているのと同じ実施形態を示しており、３つのウェザカバーがマストに一緒に装着されている。
【図４】本発明と同じ実施形態を斜視図で示しており、開成されたアクセスドアを示し、この実施形態は、外部のアンテナキャリアに接続並びに吊り装着されている。
【図５】本発明に係わるウェザカバーと同じ実施形態を背面斜視図で示しており、このウェザカバーは、外部のアンテナキャリアに接続並びに吊り装着されている。
【図６】アンテナに吊り装着された３つのウェザカバーを示している。
【図７ａ】本発明の第２の実施形態に係わるウェザカバーを斜視図で示している。
【図７ｂ】本発明の第２の実施形態を、目に見える可動のシールド手段が設けられた正面図で示している。
【図７ｃ】図７ｂに示されているのと同じ実施形態を斜視図で示している。
【図８】図７ａに示されているのと同じ実施形態を側方図で示している。
【図９】図７ａないし７ｃ並びに図８に示されているのと同じ実施形態を斜視図で示しているが、側壁は、広げられた位置にある。
【図１０】本発明の一実施形態を側方断面図で示しており、側壁は広げられた位置に示され、この実施形態は、外部のアンテナキャリア、マスト、若しくは、タワーに接続されている。
【図１１ａ】本発明に係わるウェザカバーの一実施形態を下方から見た斜視図で示している。
【図１１ｂ】図１１ａに示されているのと同じ実施形態を正面図で示している。
【図１２ａ】本発明の一実施形態に係わる吊り装着手段がアンテナキャリアに吊り装着されているウェザカバーを示している。
【図１２ｂ】吊り装着手段を詳細に示している。
【図１２ｃ】吊り装着手段を詳細に示している。
【図１２ｄ】吊り装着手段を詳細に示している。
【図１２ｅ】吊り装着手段を詳細に示している。
【図１２ｆ】吊り装着手段を詳細に示している。
【図１２ｇ】吊り装着手段を詳細に示している。
【図１３】図１１ａに係わるウェザカバーを背面斜視図で示している。
【図１４】図１１ａに係わるウェザカバーを正面斜視図で示している。
【図１５】マストに配設された３つのウェザカバーを示している。
【図１】
2008518437.tif 000003
【図２】
2008518437.tif 000004
【図３】
2008518437.tif 000005
【図４】
2008518437.tif 000006
【図５】
2008518437.tif 000007
【図６】
2008518437.tif 000008
【図７ａ】
2008518437.tif 000009
【図７ｂ】
2008518437.tif 000010
【図７ｃ】
2008518437.tif 000011
【図８】
2008518437.tif 000012
【図９】
2008518437.tif 000013
【図１０】
2008518437.tif 000014
【図１１ａ】
2008518437.tif 000015
【図１１ｂ】
2008518437.tif 000016
【図１２ａ】
2008518437.tif 000017
【図１２ｂ】
2008518437.tif 000018
【図１２ｃ】
2008518437.tif 000019
【図１２ｄ】
2008518437.tif 000020
【図１２ｅ】
2008518437.tif 000021
【図１２ｆ】
2008518437.tif 000022
【図１２ｇ】
2008518437.tif 000023
【図１３】
2008518437.tif 000024
【図１４】
2008518437.tif 000025
【図１５】
2008518437.tif 000026
【国際調査報告】
2008518437.tif 000027
2008518437.tif 000028
2008518437.tif 000029